(57)【要約】【課題】  ＴＳ信号の到着周期の変動を監視し、異常状態を警報示することができるＴＳ信号測定装置を実現する。【解決手段】  所定長の有効パケットデータと、挿入される所定長のスタッフィングデータとにより一定レートに調整されたＴＳ信号を時系列的に受信し、このＴＳ信号の到着周期を検出するＴＳ信号到着周期測定手段と、  検出された前記到着周期に関する情報を表示する表示手段と、を備える。【選択図】                    図１
2008258856.tif 000002
【特許請求の範囲】
【請求項１】
所定長の有効パケットデータと、挿入される所定長のスタッフィングデータとにより一定レートに調整されたＴＳ信号を時系列的に受信し、このＴＳ信号の到着周期を検出するＴＳ信号到着周期測定手段と、
検出された前記到着周期に関する情報を表示する表示手段と、
を備えることを特徴とするＴＳ信号測定装置。
【請求項２】
前記ＴＳ信号は、１個のパケットデータと、これに追加される１個のスタッフィングデータにより形成されていることを特徴とする請求項１に記載のＴＳ信号測定装置。
【請求項３】
前記ＴＳ信号は、複数に分割されたパケットデータと、分割されたパケットデータに追加される複数のスタッフィングデータにより形成されていることを特徴とする請求項１に記載のＴＳ信号測定装置。
【請求項４】
前記ＴＳ信号到着周期測定手段は、前記パケットデータの先頭を表す値を検出することを特徴とする請求項１乃至３のいずれかに記載のＴＳ信号測定装置。
【請求項５】
前記ＴＳ信号到着周期測定手段は、前記パケットデータの全データを検出することを特徴とする請求項１乃至３のいずれかに記載のＴＳ信号測定装置。
【請求項６】
前記到着周期を監視し、到着周期が所定の閾値を超えて変動した時に警報する警報手段を備えることを特徴とする請求項１乃至５のいずれかに記載のＴＳ信号測定装置。
【発明の詳細な説明】
【技術分野】
【０００１】
本発明は、所定長の有効パケットデータと、挿入される所定長のスタッフィングデータとにより一定レートに調整されたデジタル放送用のＴＳ信号を測定する装置に関するものである。
【背景技術】
【０００２】
デジタル放送では、ＭＰＥＧ−２System（ＩＳＯ／ＩＥＣ13818-1）に定義されるＴＳ
（Transport Stream）に準拠した多重信号形式を用いている。ＴＳ信号の詳細については、非特許文献１に解説されている。
【０００３】
ＴＳ信号の伝送方式としては、シリアルに信号を伝えるＤＶＢ（Digital Video Broadcasting）−ＡＳＩ(Asynchronous Serial Interface)方式がある。この方式では、データとクロックを重畳させ8-10ビット変換を行った信号を、固定の速度である270MHzに同期させ伝送する。
【０００４】
ＴＳ信号のレートは、目的によりさまざまな値になるため、270Mbit/secに満たない場合には、有効なデータとデータの間に無効なスタッフィングデータ（Stuffing Data）を挿入することで信号レートが270MHzになるように調整している。またＴＳ信号は、同期バイトの47hを先頭に188/204/208バイトの長さを単位としたパケットを単位として転送される。
【０００５】
Sスタッフィングデータの挿入位置には、パケットとパケットの間に挿入されるパケット（Packet）モードと、パケットとは無関係にデータとデータの間に挿入されるバースト（Burst）モードに分かれる。
【０００６】
図２は、ＴＳ信号のパケット構造を示す模式図である。図２（Ａ）は、パケットモードの構造図であり、パケットとパケットの間にスタッフィングデータが挿入されている。図２（Ｂ）は、バーストモードの構造図であり、１個のパケットが複数に分割され、分割されたパケットデータの後にスタッフィングデータが挿入されている。
【０００７】
パケットモードでもバーストモードでも、同じ期間の間に伝送されるデータ量は同じであるので、スタッフィングデータの挿入数は同じである。
【０００８】
固定速度の信号ならばデータの転送間隔は固定であるから、スタッフィングデータの挿入位置は等間隔で連続数も一定になる(正確には信号のレートと270MHzとの関係で０〜１バイトの変化が発生)はずである。
【０００９】
【非特許文献１】「デジタル放送ハンドブック」オーム社発行平成１６年８月２５日第１版第３刷            山田  宰監修  映像情報メディア学会編
【発明の開示】
【発明が解決しようとする課題】
【００１０】
ＴＳ信号の伝送環境により、次のような問題がある。
（１）一定の信号レートであれば常に同じようにスタッフィングデータが挿入されるはずであるが、信号を中継する装置の処理のしかたや伝送路の都合(たとえばATMやイーサなど異なる通信網で伝送する場合など)で、スタッフィングデータの挿入位置や連続数が変動する可能性がある。
【００１１】
（２）変動幅が大きいと、後続の装置のデータバッファ回路で入力データのあふれが生じたり、デコーダ処理が間に合わなくなり正常な再生ができない虞れがあるので、受信されるデータの到着周期を監視し、異常であれば警報する仕組みが必要である。
【００１２】
（３）データに含まれる時刻情報を示すＰＣＲ（Program Clock Reference）の値が正しい場合は画音出力には問題がないが、ＴＳ信号の伝送路としては問題を内在している。装置の組み合わせによっては正常に画音出力ができなくなる可能性がある。
【００１３】
（４）従来のＴＳ信号の測定器（標準的な測定器としては、Tektronix社のWMF700シリーズがある）では、平均的な信号のレートを求めたり、時刻情報を示すＰＣＲの値が正しいかを確認するのみで、データが均一な周期で到着していることを確認する手段は提供されていない。
【００１４】
本発明は上述した問題点を解決するためになされたものであり、ＴＳ信号の到着周期の変動を監視し、異常状態を警報示することができるＴＳ信号測定装置の実現を目的としている。
【課題を解決するための手段】
【００１５】
このような課題を達成するために、本発明は次の通りの構成になっている。
（１）所定長の有効パケットデータと、挿入される所定長のスタッフィングデータとにより一定レートに調整されたＴＳ信号を時系列的に受信し、このＴＳ信号の到着周期を検出するＴＳ信号到着周期測定手段と、
検出された前記到着周期に関する情報を表示する表示手段と、
を備えることを特徴とするＴＳ信号測定装置。
【００１６】
（２）前記ＴＳ信号は、１個のパケットデータと、これに追加される１個のスタッフィングデータにより形成されていることを特徴とする（１）に記載のＴＳ信号測定装置。
【００１７】
（３）前記ＴＳ信号は、複数に分割されたパケットデータと、分割されたパケットデータに追加される複数のスタッフィングデータにより形成されていることを特徴とする（１）に記載のＴＳ信号測定装置。
【００１８】
（４）前記ＴＳ信号到着周期測定手段は、前記パケットデータの先頭を表す値を検出することを特徴とする（１）乃至（３）のいずれかに記載のＴＳ信号測定装置。
【００１９】
（５）前記ＴＳ信号到着周期測定手段は、前記パケットデータの全データを検出することを特徴とする（１）乃至（３）のいずれかに記載のＴＳ信号測定装置。
【００２０】
（６）前記到着周期を監視し、到着周期が所定の閾値を超えて変動した時に警報する警報手段を備えることを特徴とする（１）乃至（５）のいずれかに記載のＴＳ信号測定装置。
【発明の効果】
【００２１】
本発明によれば、次のような効果を期待することができる。
（１）従来ＰＣＲの値が正しくない場合、エンコーダー装置によるＰＣＲの打ち間違いに起因するものか、伝送路中で誤差が発生しているのか切分けが難しかったが、本発明装置で確認することが可能となる。
【００２２】
（２）到着周期の表示手段及び警報手段により、ＴＳ信号の異常を知ることができるので、異常原因の究明と対策が容易にできる。
【発明を実施するための最良の形態】
【００２３】
以下、本発明を図面により詳細に説明する。図１は、本発明を適用したＴＳ信号測定装置の実施形態を示す機能ブロック図である。
【００２４】
ＴＳ信号到着周期測定手段１００は、パケット先頭データ検出手段１０１及び周期測定手段１０２よりなる。パケット先頭データ検出手段１０１は、ＴＳ信号を時系列的に入力し、パケットの先頭をあらわす47hの値を持つデータが到着すると、トリガ信号ＴＲを出力する。
【００２５】
周期測定手段１０２は、パケット先頭データ検出手段１０１から取得するトリガ信号ＴＲに基づいて、ＴＳ信号の到着周期値Ｓを演算して出力する。到着周期値Ｓは、表示手段２００に渡されて到着周期に関する情報が表示される。
【００２６】
表示手段２００による表示方法は、個々のパケットデータの到着周期値を数値で出す方法、ヒストグラムで出す方法、トレンド表示で出す方法等、管理の目的に応じて種々の表示方法をとることができる。
【００２７】
警報手段３００は、周期測定手段１０２より到着周期値Ｓを取得すると共に、設定される周期変動の閾値Ｗと比較し、到着周期値Ｓが閾値Ｗを超えて変動した場合に警報ＡＲを出力する。
【００２８】
実施形態では、ＴＳ信号到着周期測定手段１００は、パケット先頭データ検出手段１０１により、パケットの先頭をあらわす47hの値を検出しているが、この部分はパケットの先頭でなく全データ間を検出してもよい。
【００２９】
この場合パケットモードでは、周期が１バイト分の伝送時間(先の約42ns)とパケット周期時間の２つの値となる。バーストモードでは、１つの任意の値(信号のビットレート)となる。
【図面の簡単な説明】
【００３０】
【図１】本発明を適用したＴＳ信号測定装置の実施形態を示す機能ブロック図である。
【図２】ＴＳ信号のパケット構造を示す模式図である。
【符号の説明】
【００３１】
１００  ＴＳ信号到着周期測定手段
１０１  パケット先頭データ検出手段
１０２  周期測定手段
２００  表示手段
３００  警報手段
【図１】
2008258856.tif 000003
【図２】
2008258856.tif 000004